(57)【要約】      （修正有）【課題】組織管腔の間をシールするための改良されたシール要素を提供する。【解決手段】組織管腔の間をシールするためのシール要素は、組織内生長を可能にするための第１の材料１２、および第２のシーラント材料１４を含む。好ましくは、第１の材料が、発泡体、メッシュ、不織構造物、穿孔シートおよびそれらの組み合わせからなる群から選択される。好ましくは、第２の材料が、メタクリル酸、アクリル酸、ｎ−ビニルピロリドン、カリウムスルホプロピルアクリレート、カリウムスルホプロピルメタクリレート、アクリルアミド、ジメチルアクリルアミド、２−メタクリロイルオキシエチルホスホリルコリン、ヒドロキシエチルメタクリレート、２−ヒドロキシエチルメタクリレートおよびそれらの組み合わせからなる群から選択されるモノマー由来である。【選択図】図４
2011139913.tif 000002
【特許請求の範囲】
【請求項１】
図１に示されるシール要素。
【発明の詳細な説明】
【技術分野】
【０００１】
（関連出願への相互参照）
本出願は、２００４年１０月１５日に出願された米国仮出願番号第６０／６１９，２３８号に対する利益および優先権を主張し、その全体の開示は、本明細書中に参考として援用される。
【背景技術】
【０００２】
（背景）
（技術分野）
本開示は、２つの管状組織を付着するためのデバイスに関する。より詳細には、吻合手順と組み合わせる使用のためのシールが記載される。
【０００３】
（関連技術の背景）
胃腸管吻合を実施する１つの方法は、円形ステープラ装置の使用を含む。例えば、ＣＥＥＡ（登録商標）（Ｔｙｃｏ  Ｈｅａｌｔｈｃａｒｅ  ＧｒｏｕｐＬＰの部門、Ｕｎｉｔｅｄ  Ｓｔａｔｅｓ  Ｓｕｒｇｉｃａｌの商標）のような公知のデバイスが、腸の疾患部分の切除の後に利用されている。この円形の吻合ステープラは、腸の残りの部分に接近するために利用され、これらを一緒にステープル留めし、そして吻合接合点で過剰の組織を切除する。
【０００４】
例示の円形のステープル留めデバイスは、特許文献１；特許文献２；特許文献３；および特許文献４の特定の実施形態に開示されており、これらは、本明細書中にそれらの全体がこの参照によって援用される。吻合を実施するためのその他の方法は、例えば、クリップ分与器、解剖器具および大ばさみ（ｓｈｅａｒｓ）、および接着剤の使用を含むことが企図されるステープル留め以外の接続技法を利用する。
【先行技術文献】
【特許文献】
【０００５】
【特許文献１】米国特許第４，３５４，６２８号
【特許文献２】米国特許第５，０１４，８９９号
【特許文献３】米国特許第５，０４０，７１５号
【特許文献４】米国特許第５，３９２，９７９号
【発明の概要】
【発明が解決しようとする課題】
【０００６】
現在の吻合デバイスおよび手順は満足する性能であるが、吻合部位で組織生長および良好な封止を促進することが有利であり得る。
【課題を解決するための手段】
【０００７】
吻合における使用のためのコンポジットシール要素が本明細書に記載される。このシール要素は、接続されるべき管状組織の２つの部分間に配置され得、組織生長を促進し、そして漏れの発生を減少する。ステープル留めされた吻合では、シール要素が、組織が接近され、そしてステープルが発射される前に吻合の近位端と遠位端との間に配置される。このシール要素は治癒プロセスの間にはその場に残り、そして次に、特定の実施形態では、身体によって吸収される。
【０００８】
本開示の１つの局面は、組織管腔間の封止（シーリング）のためのシール要素であり、第１の材料および第２の材料を備える。この第１の材料は、組織内生長を可能にする多孔性材料を備える。この第２の材料は、シーラントを備える。
【０００９】
実施形態では、この第２の材料は、第１の組織管腔と第２の組織管腔との間で圧縮されるとき、これら組織管腔の内容物の逃避を防ぐためのシールとして作用する圧縮可能な材料を含む。好ましくは、この第１の材料および第２の材料は、生分解可能、生体吸収性，または生腐食性材料である。
【００１０】
特定の実施形態では、上記シール要素は、環状要素を備え、そして上記第２の材料は、上記第１の材料の外方に配置される。この第１の材料および第２の材料は、生体適合性接着剤で互いに接着され得るか、またはオーバーモールディングプロセスを利用して接続され得る。
【００１１】
本開示の別の局面は、組織管腔間にシール要素を配置するためのアセンブリであって、アンビルアセンブリおよび管状本体部分を有する円形の外科用ステープル留めデバイスを備え、このアンビルアセンブリは、アンビル部材および第１のシャフトを備え、そしてこの管状本体部分は、円形形態にある複数の外科用ステープルを保持し、そしてこの管状本体部分は、これら外科用ステープルの内方に配置された第２のシャフトを有し、上記第１のシャフトは上記第２のシャフトに取り付けられている。このアセンブリは、第１の材料および第２の材料を備えるシール要素を含む。この第１の材料は、組織内生長を可能にする多孔性材料を含む。上記第２の材料はシーラントを備える。
【００１２】
好ましくは、上記第２の材料は、第１の組織管腔と第２の組織管腔との間で圧縮されるとき、上記組織管腔の内容物の逃避を防ぐためのシールとして作用する圧縮可能な材料を含む。好ましくは、上記第１の材料および第２の材料は、生分解性、生体吸収性、または生腐食性材料である。
【００１３】
上記シール要素は、望ましくは、上記円形の外科用ステープル留めデバイスの第１のシャフトおよび第２のシャフトの１つ上に配置されるためにほぼ中央に位置するアパーチャを有する。
【００１４】
より特定すれば本願発明は以下の項目に関し得る。
（項目１）
接続されるべき組織の管状セクション間に位置決めするためのシール要素であって：
組織内生長を促進する第１の材料；および
上記第１の材料を少なくとも部分的に取り囲むシーラントを備える第２の材料、を備える、シール要素。
（項目２）
上記第１の材料が、多孔性材料である、項目１に記載のシール要素。
（項目３）
上記第１の材料が、発泡体、メッシュ、不織構造物、穿孔シートおよびそれらの組み合わせからなる群から選択される、項目１に記載のシール要素。
（項目４）
上記第１の材料が、グリコリド、ラクチド、カプロラクトン、トリメチレンカーボネート、ジオキサノン、ポリアルキレンオキシド、およびそれらの組み合わせからなる群から選択される、項目１に記載のシール要素。
（項目５）
上記第１の材料が、約５０μｍから約２００μｍまでのサイズの範囲にある孔を有する多孔性材料である、項目１に記載のシール要素。
（項目６）
上記第１の材料が、約０．０１０インチから０．０２０インチまでの範囲の厚みを有する、項目１に記載のシール要素。
（項目７）
上記第２の材料が、圧縮可能である、項目１に記載のシール要素。
（項目８）
上記第２の材料が、膨張可能である、項目１に記載のシール要素。
（項目９）
上記第２の材料が、親水性材料である、項目１に記載のシール要素。
（項目１０）
上記第２の材料が、メタクリル酸、アクリル酸、ｎ−ビニルピロリドン、カリウムスルホプロピルアクリレート、カリウムスルホプロピルメタクリレート、アクリルアミド、ジメチルアクリルアミド、２−メタクリロイルオキシエチルホスホリルコリン、ヒドロキシエチルメタクリレート、２−ヒドロキシエチルメタクリレートおよびそれらの組み合わせからなる群から選択されるモノマー由来である、項目１に記載のシール要素。
（項目１１）
上記第２の材料が、ポリ（２−ヒドロキシエチルメタクリレート）である、項目１に記載のシール要素。
（項目１２）
上記第２の材料が、その上に形成されたパターンを有する、項目１に記載のシール要素。
（項目１３）
上記第１の材料または上記第２の材料が、少なくとも１つの医療で有用な物質をさらに含む、項目１に記載のシール要素。
（項目１４）
上記少なくとも１つの医療で有用な物質が、薬物、酵素、生長因子、ペプチド、タンパク質、色素、診断薬、止血剤、抗微生物剤、抗生物質、抗カビ剤、抗ウイルス剤、モノクローナル抗体、ポリクローナル抗体、抗微生物タンパク質／ペプチド、酵素、遺伝子療法剤、ウイルス粒子、化学療法剤、抗炎症剤、ＮＳＡＩＤＳ、ステロイド、テロメラーゼインヒビター、生長因子、細胞外マリックス分子、細胞接着分子、他糖類およびそれらの組み合わせからなる群から選択される、項目１３に記載のシール要素。
（項目１５）
ほぼ中央に位置するアパーチャをさらに備える、項目１に記載のシール要素。
（項目１６）
組織管腔間にシール要素を配置するためのアセンブリであって：
アンビルアセンブリおよび管状本体部分を備える円形の外科用ステープル留めデバイスであって、上記アンビルアセンブリが、アンビル部材および第１のシャフトを備え、そして上記管状本体部分が、円形形態にある複数の外科用ステープルおよび上記外科用ステープルの内方に配置された第２のシャフトを備え、上記第１のシャフトが上記第２のシャフトに取り付けられている外科用ステープル留めデバイス；および
第１の材料および第２の材料を備えるシール要素であって、上記第１の材料が組織内生長を促進し、そして上記第２の材料がシーラントを備えるシール要素、を備える、アセンブリ。
（項目１７）
上記第１の材料が、多孔性材料である、項目１６に記載のアセンブリ。
（項目１８）
上記第１の材料が、発泡体、メッシュ、不織構造物、穿孔シートおよびそれらの組み合わせからなる群から選択される、項目１７に記載のアセンブリ。
（項目１９）
上記第１の材料が、グリコリド、ラクチド、カプロラクトン、トリメチレンカーボネート、ジオキサノン、ポリアルキレンオキシド、およびそれらの組み合わせからなる群から選択される、項目１７に記載のアセンブリ。
（項目２０）
上記第１の材料が、約５０μｍから約２００μｍまでのサイズの範囲にある孔を有する多孔性材料である、項目１７に記載のアセンブリ。
（項目２１）
上記第１の材料が、約０．０１０インチから０．０２０インチまでの範囲の厚みを有する、項目１７に記載のアセンブリ。
（項目２２）
上記第２の材料が、圧縮可能である、項目１７に記載のアセンブリ。
（項目２３）
上記第２の材料が、膨張可能である、項目１７に記載のアセンブリ。
（項目２４）
上記第２の材料が、親水性材料である、項目１７に記載のアセンブリ。
（項目２５）
上記第２の材料が、メタクリル酸、アクリル酸、ｎ−ビニルピロリドン、カリウムスルホプロピルアクリレート、カリウムスルホプロピルメタクリレート、アクリルアミド、ジメチルアクリルアミド、２−メタクリロイルオキシエチルホスホリルコリン、ヒドロキシエチルメタクリレート、２−ヒドロキシエチルメタクリレートおよびそれらの組み合わせからなる群から選択されるモノマー由来である、項目１７に記載のアセンブリ。
（項目２６）
上記第２の材料が、ポリ（２−ヒドロキシエチルメタクリレート）である、項目１７に記載のアセンブリ。
（項目２７）
上記第２の材料が、その上に形成されたパターンを有する、項目１７に記載のアセンブリ。
（項目２８）
上記第１の材料または上記第２の材料が、少なくとも１つの医療で有用な物質をさらに含む、項目１７に記載のアセンブリ。
（項目２９）
上記少なくとも１つの医療で有用な物質が、薬物、酵素、生長因子、ペプチド、タンパク質、色素、診断薬、止血剤、抗微生物剤、抗生物質、抗カビ剤、抗ウイルス剤、モノクローナル抗体、ポリクローナル抗体、抗微生物タンパク質／ペプチド、酵素、遺伝子療法剤、ウイルス粒子、化学療法剤、抗炎症剤、ＮＳＡＩＤＳ、ステロイド、テロメラーゼインヒビター、生長因子、細胞外マリックス分子、細胞接着分子、他糖類およびそれらの組み合わせからなる群から選択される、項目１７に記載のアセンブリ。
（項目３０）
ほぼ中央に位置するアパーチャをさらに備える、項目１７に記載のアセンブリ。
（項目３１）
接続されるべき隣接する管状組織間にシール要素を配置する方法であって：
円形の外科用吻合デバイスを提供する工程であって、上記円形の外科用吻合デバイスが：
アンビル部材および第１のシャフトを有するアンビルアセンブリ；および
その中に作動可能に配置された環状ナイフ、および上記環状ナイフの半径方向の内方に配置された第２のシャフトを有する管状本体であって、上記アンビルアセンブリの第１のシャフトが上記管状本体の第２のシャフトに選択的に取り付け可能である、管状本体を備える、工程；
上記アンビルアセンブリを第１の管状組織中に挿入する工程；
上記管状本体部分を、第２の管状組織中に挿入する工程；
上記第１の管状組織と上記第２の管状組織との間に支持構造を配置する工程であって、上記シール要素が第１の材料および第２の材料を備え、ここで、上記第１の材料が組織内生長を促進し、そして上記第２の材料がシーラントを備える工程；
上記アンビルアセンブリおよび上記管状本体部分を互いに、上記第１の管状組織の端部部分、上記支持構造、および上記第２の管状組織の端部部分が、上記アンビル部材と上記管状本体部分との間に配置され、上記シール要素が上記第１の管状組織と上記第２の管状組織との間に配置されるように接近させる工程；
上記環状ナイフの半径方向の内方に配置された上記第１および第２の管状組織の部分を切断し、そして上記環状ナイフの半径方向に外方の上記第１および第２の管状組織の部分を触れるように上記外科用吻合デバイスを発射する工程、を包含する、方法。
【図面の簡単な説明】
【００１５】
本明細書に組み込まれ、そしてその一部を構成する添付の図面は、本開示の実施形態を示し、そして上記で与えられた本開示の一般的説明および上記で与えられた実施形態の詳細な説明とともに、本開示の原理を説明するために供される。
【図１】図１は、非展開状態で示された、本開示の実施形態によるシール要素の斜視図である。
【図２】図２は、例示の環状外科用ステープル留めデバイスの斜視図である。
【図３】図３は、手術部位内で環状ステープル留めデバイスに取り付けられたアンビルロッド、および組織の並べられた表面間に配置された非展開状態にある図１のシール要素の長軸方向の部分断面図である。
【図４】図４は、展開状態で示される図１のシール要素の斜視断面図である。
【発明を実施するための形態】
【００１６】
（好ましい実施形態の詳細な説明）
図１に示されるように、本開示によるシール要素１０は、第１の材料１２および第２の材料１４のコンポジットであり得、そして中央アパーチャ１５を含む。
【００１７】
特定の実施形態では、この第１の材料１２は、（第２の材料と比較して）相対的に薄く、そして、必要に応じて、組織内生長を促進する生体吸収性材料であり得る。特定の好ましい実施形態では、第１の材料１２は、約０．０１０インチ〜約０．０２０インチ厚みであり得るが、その他の厚みも用いられ得る。当業者は、その中に形成された孔を有する材料によって、組織内生長がより容易に促進されることを認識している。従って、例えば、第１の材料１２は、例えば、発泡体、メッシュ、不織構造物、または穿孔シートのような、任意の生体適合性で、必要に応じて生体吸収性の多孔性材料であり得る。特定の好ましい実施形態では、第１の材料１２は、約５０μｍ〜約２００μｍの範囲にある孔を有する。適切な生体吸収性多孔性材料の例示の例は、Ｄｅｘｏｎのような吸収可能なヘルニア（ｈｅｒｎｉａ）、Ｐｏｌｙｓｏｒｂのような吸収可能なフェルト（ｆｅｌｔ）、またはポリウレタンのような多孔性開放セル発泡体、適切なホモポリマー、グリコリド、ラクチド、カプロラクタン、トリメチレンカーボネート、ジオキサノン、ポリアルキレンオキシドなどを含む。その他の適切な材料は、米国特許第４，６５５，２２１号；同第４，７８８，９７９号；同第５，５４３，２１８号；同第５，７１６，３７６号；同第５，４２３，８５９号；および同第５，１２４，１０３号の特定の実施形態中に開示され、それらの開示は、この参照によって本明細書により、それらの全体が本明細書中に援用される。作用の特定の理論に制限されることはなく、この領域で起こる治癒のかなりの量の治癒がある。従って、この材料は、望ましくは、組織がそれを通って生長することを可能にするに十分多孔性である。
【００１８】
第２の材料１４は、望ましくは、シールを形成する。それ故、この第２の材料１４は、例えば、圧縮可能または拡大可能で必要に応じて生体吸収可能な材料である。使用において、圧縮可能な第２の材料１４は、圧縮されるとき、接続された管状組織から流体の逃避を防ぐためのシールとして作用する。特定の実施形態では、第２の材料１４は、ステープル３３、３５によって捕獲された吻合の近位端１６と遠位端１８との間に圧縮される柔軟な伸展性材料である。例えば、図４を参照のこと。この材料の圧縮は、例えば、腸内容物が腹膜中に漏れることを防ぐためのガスケットとして供し得る。圧縮可能な材料の例示の例は、制限されないで、ポリウレタン発泡体、カルボキシメチルセルロース（「ＣＭＣ」）、およびヒドロゲルを含む。
【００１９】
膨張可能な第２の材料１４について、この材料は、身体中に自然に存在する流体のような流体との接触に応答して膨張し得る。実施形態では、第２の材料１４は、湿気との接触に際して膨潤する脱水材料であり得る。例えば、第２の材料１４は、親水性の生体材料であり得る。適切な親水性生体材料の例示の例は、制限されないで、以下のモノマーの１つ以上から形成されるポリマーを含む：メタクリル酸、アクリル酸、ｎ−ビニルピロリドン、カリウムスルホプロピルアクリレート、カリウムスルホプロピルメタクリレート、アクリルアミド、ジメチルアクリルアミド、２−メタクリロイルオキシエチルホスホリルコリン、２−ヒドロキシエチルメタクリレートまたは類似の生体適合性水溶性ビニルポリマー。特定の有用な実施形態では、第２の材料１４は、ポリ（２−ヒドロキシメチルメタクリレート）から形成される。シール要素１０が第２の材料１４として親水性生体材料を含む場合、シール要素１０は、当業者の範囲内の技法を用いて調製され得る。例えば、このシール要素は、上記モノマー（単数または複数）、および所望または必要であれば、インヒビター、架橋剤、可塑剤および／または生物学的薬剤を含む組成物で鋳型を充填すること、および鋳型内でこの組成物を重合することにより形成され得る。特定の開始剤、架橋剤などの選択は、モノマー（単数または複数）の特定の選択によって決定され、そして当業者によって容易に決定され得る。特定の有用な親水性生体材料は、ポリ（２−ヒドロキシメチルメタクリレート）（「ＰＨＥＭＡ」）である。シール要素１０のＰＨＥＭＡ部分の平衡水分含量（ＥＷＣ）、膨潤、および機械的性質は、架橋密度によって制御され得る（例えば、この架橋密度は、照射条件、ジ（エチレングリコール）ジメチルメタクリレート（ＤＥＧＤＭＡ）のような架橋剤の濃度によって制御され得る）。このシール要素１０の厚みは、鋳型中で重合されるモノマー組成物の容量によって制御される。シール要素１０のこのＰＨＥＭＡ部分はまた、以下の形成に従う改変された表面であり得る。例えば、シール要素１０のこのＰＨＥＭＡ部分は、γ線照射グラフト化を用いる改良された血液適合性および組織相互作用のためのポリマー性ホスホリピドで表面改変され得る。
【００２０】
実施形態では、第２の材料１４から作製されるシール要素の部分の表面は、ナノ−メソ−マイクロスケールでパターン化または鋳型とされ得、組織／シール界面で優勢な組織相互作用を収容する。このような構築またはパターンは、術後の組織接着および必要以上のコラーゲン堆積を防ぐか、または最小にするが、創傷治癒のための所望の機械的および生物物理学的支持を与える。
【００２１】
シール要素１０が作製される第１の材料１２および第２の材料１４の両方またはいずれかはまた、薬物、酵素、生長因子、ペプチド、タンパク質、色素、診断薬もしくは止血剤、または狭窄の予防で用いられる任意のその他の薬剤のような、医療的および／または手術に有用な物質を含み得る。適切な医療的および／または手術に有用な物質の非制限的な例は：抗微生物剤、抗生物質、抗カビ剤、抗ウイルス剤、モノクローナル抗体、ポリクローナル抗体、抗微生物タンパク質／ペプチド（全体およびフラグメント）、酵素、遺伝子療法剤、ウイルス粒子、化学療法剤、抗炎症剤、ＮＳＡＩＤＳ、ステロイド、テロメラーゼインヒビター、生長因子（ＴＧＦファミリー、インターロイキンスーパーファミリー、線維芽細胞由来ＧＦ類、マクロファージ由来ＧＦ類など）、細胞外マリックス分子（ラミニン、トロンボスポンジン、コラーゲン、フィブロネクチン、合成ＥＣＭなど）、細胞接着分子、他糖類（ヒアルロン酸、カルボキシルメチルセルロース、アルギネート、硫酸デキストラン、硫酸ヘパリン、キトサンなど）などを含む。これらの試薬は、シール要素１０が作製される第１の材料１２および第２の材料１４のいずれか、または両方中にインサイチュで組み込まれ得るか、または当業者の範囲内の技法を用いてシール要素１０上に後充填される。例えば、上記医療的および／または手術に有用な物質は、自由に混合または装填され、電子的またはイオン的に結合され、共有結合により固定化され、キレート化され、または粒子、ミセル、凝固物、または変化する寸法、形状形態および分散／懸濁能力の任意のナノ−メソ−マイクロ固体中にカプセル化され得る。
【００２２】
第２の材料１４は、当業者の範囲内の任意の様式で第１の材料１２に付着され得、これには、制限されないでオーバーモールドプロセスが含まれる。
【００２３】
シール要素１０は、円形の外科用ステープル留めデバイスの第１のシャフトおよび第２のシャフトの１つ上に配置されるためにほぼ中央に位置するアパーチャ１５を有する。このシール要素は、円形のステープル留めされた吻合の近位端と遠位端との間に捕獲され、吻合の部位において漏れを減少する。
【００２４】
シール要素１０の寸法は、特定の適用に従って変動し得る。特定の実施形態では、外径は、円形のステープル留め装置の外側のステープルの列の直径よりわずかに大きい。内径は、円形のステープル留め装置のナイフの直径よりわずかにより大きい。好ましくは、この内径は、シール要素１０をアンビルアセンブリ４０上の中心に置くためにアンビルアセンブリ４０のシャフト３８のほぼサイズであり得る。
【００２５】
ここで図２を参照して、本明細書中に開示される環状構造物との使用のための環状外科用ステープル留めデバイスが一般に２０として示される。外科用ステープル留めデバイスは、少なくとも１つの旋回可能な作動ハンドル部材２４を有するハンドルアセンブリ２２、および進行部材２６を含む。ハンドル部材２２から延びて、管状本体部分３０が提供され、これは、その長さに沿って湾曲した形状を有するように構築され得る。本体部分３０は、ステープルカートリッジアセンブリ３２で終結し、これは、ステープル受容スロット４６の各々１つ中に配置されるステープル（図示せず）を有するステープル受容スロット４６の一対の環状アレイを含む。ステープルカートリッジアセンブリ３２の遠位方向に位置決めされて、アンビル部材３６と、ステープル留めデバイスの遠位端部分にアンビルアセンブリ４０を離脱可能に連結するためのシャフト３８とを含むアンビルアセンブリ４０が提供される。
【００２６】
ステープルカートリッジアセンブリ３２は、管状本体部分３０の遠位端に固定して連結され得るか、または管状本体部分３０の遠位端内に同心に適合するような形態であり得る。代表的には、ステープルカートリッジアセンブリ３２は、ほぼ円錐台形状を有する近位部分と、周縁で間隔を置かれて配置され、その各々が個々のステープル受容スロット４６内に受容されるフィンガー（図示せず）の２つの同心リングを規定する遠位部分を含む。
【００２７】
代表的には、ナイフエッジを規定するそのリムを備えた開放カップの実質的形態にあるナイフ（図示せず）が、カートリッジアセンブリ３２内に配置され、そしてステープルプッシャー（図示せず）の遠位面に載せられる。このナイフエッジは、一対のステープル環状アレイの半径方向の内方に配置される。従って、使用において、ステープルプッシャーが進行されるとき、このナイフもまた軸方向の外方に進行される。
【００２８】
適切な環状ステープル留めデバイスの詳細な論議については、その全体の内容が本明細書中に参考として援用される、Ｖｉｏｌａらによる米国特許第５，９１５，６１６号への参照がなされ得る。図２〜３に示されるステープル留めデバイスは、円形のステープル留めデバイスであるが、本明細書中に開示されるシール要素は、例えば、円形ではない、直線状ステープラまたは環状ステープラのようなその他の形状または形態のステープラとともに用いられ得る。さらに、このシール要素は、縫合糸、接着剤などを用いて配置され得る。
【００２９】
ここで、図３を参照して、腸セクション６６および６８の接続を行う吻合手順中の外科用ステープル留めデバイス２０と離脱可能なアンビルアセンブリ４０の使用が示される。図３に示される手順における時点では、疾患腸セクションは、先に除去され、アンビルアセンブリ４０は、手術部位に、外科的切開を通じ、または肛門を経由して付与され、そして腸セクション６６内に位置決めされ、そして外科用ステープル留めデバイスの管状本体部分３０が肛門を経由して腸セクション６８中に挿入されている。腸セクション６６および６８はまた、それらの個々の構成要素（例えば、アンビルアセンブリ４０のシャフト３８、および管状本体部分３０の遠位端）の周りに、財布紐（ｐｕｒｓｅ  ｓｔｒｉｎｇ）縫合糸「Ｐ」のような従来手段によって一時的に固定されて示される。
【００３０】
図３に見られるような１つの方法によれば、所望であるか、またはこの外科的手順が必要であれば、シール要素１０は、アンビルアセンブリ４０の管状本体部分３０の遠位端への連結の前にアンビルアセンブリ４０のシャフト３８上に配置され得る。シール要素１０のアンビルアセンブリ４０のシャフト３８上への位置決めの後、外科医は、アンビルアセンブリ４０を、シャフト３８の近位端が、外科用ステープル留めデバイス２０の管状本体部分３０の遠位端中に挿入されるまで操縦し、ここで、管状本体部分３０の遠位端内の取り付け構造（図示せず）がシャフト３８と係合し、取り付けを行う。その後、アンビルアセンブリ４０および管状本体部分３０が接近され、腸セクション６６、６８を接近させ、そしてそれらの間にシール要素１０を捕獲する。外科用ステープル留めデバイス２０は、次に発射され、それによって腸セクション６６、６８を互いにステープル留めし、そしてナイフの半径方向の内方に配置された組織の部分とシール要素１０を切断し、吻合を終了する。
【００３１】
図４に見られるように、シールを形成する第２の材料１４は、吻合の近位端１６と遠位端１８との間で圧縮され、そしてステープル３３、３５によって捕捉される。この材料の圧縮は、腸内容物の腹膜中への漏れを防ぐためのガスケットとして供される。第１の材料１２から作製されるシール要素１０の部分は、吻合の部位に曝され、そして組織内生長を促進し、そしてそれによってこの部位の治癒を支援する。
【００３２】
シール要素のいくつかの特定の形態を示し、そして説明してきたが、種々の改変がまた、本開示の思想および範囲から逸脱することなくなされ得ることは明白である。例えば、本明細書に説明されるシール要素の各々は、組織をともに固定するための任意のステープルを含まず、組織を接近、接着および切断し得る環状外科用吻合デバイスとともに用いられ得る。それ故、本開示の支持構造物の形態、詳細および適用における種々の改変が、本開示の思想および範囲から逸脱することなくなされ得ることが理解されるべきである。
【図１】
2011139913.tif 000003
【図２】
2011139913.tif 000004
【図３】
2011139913.tif 000005
【図４】
2011139913.tif 000006
【外国語明細書】
2011139913000001.pdf